(57)【特許請求の範囲】
【請求項１】
マルチチャネル受信機においてクロックリカバリおよび等化器の係数の推定を行うための方法であって、
第１のクロックリカバリ部において、第１のチャネルに関連付けられた第１のクロック信号をリカバリすること、
前記第１のクロック信号を用いて、前記第１のチャネルに関連付けられた第１の等化器の第１の係数セットを推定すること、
前記第１のクロックリカバリ部から、第２のチャネルに関連付けられた第２のクロックリカバリ部に前記第１のクロック信号を送ること、
前記第１のクロック信号を前記第２のクロックリカバリ部に対する基準クロック信号として用いて、前記第２のクロックリカバリ部において、前記第２のチャネルに関連付けられた第２のクロック信号をリカバリすること、
前記第２のチャネルに関連付けられた第２の等化器に、前記第１の係数セットを第１の初期係数として送ること、
前記第１の初期係数を用いて前記第２の等化器の第２の係数セットを推定すること、
を備える方法。
【請求項２】
前記第２の等化器の第２の係数セットを推定することは、
前記第１の初期係数を用いて前記第２の係数セットを初期設定すること、
前記初期設定の後、等化方式を用いて前記第２の係数セットを推定すること、
を含む、請求項１に記載の方法。
【請求項３】
前記第１のチャネルは第１のチャネル応答を含み、前記第１のチャネル応答は、前記第２のチャネルの第２のチャネル応答に関連している、請求項１に記載の方法。
【請求項４】
前記第１のチャネルは、光リンクを最適化する波長に関連付けられており、
前記第１のチャネルは、前記第２のチャネルよりも小さい符号間干渉（ＩＳＩ）を有する、請求項１に記載の方法。
【請求項５】
前記光リンクはマルチモードファイバ（ＭＭＦ）リンクを含む、請求項４に記載の方法。
【請求項６】
前記第２のクロックリカバリ部から、第３のチャネルに関連付けられた第３のクロックリカバリ部に前記第２のクロック信号を送ること、
前記第２のクロック信号を前記第３のクロックリカバリ部に対する基準クロック信号として用いて、前記第３のクロックリカバリ部において、前記第３のチャネルに関連付けられた第３のクロック信号をリカバリすること、
前記第３のチャネルに関連付けられた第３の等化器に、前記第２の係数セットを第２の初期係数として送ること、
前記第２の初期係数に基づいて前記第３の等化器の第３の係数セットを推定すること、
前記第３のクロックリカバリ部から、第４のチャネルに関連付けられた第４のクロックリカバリ部に前記第３のクロック信号を送ること、
前記第３のクロック信号を前記第４のクロックリカバリ部に対する基準クロック信号として用いて、前記第４のクロックリカバリ部において、前記第４のチャネルに関連付けられた第４のクロック信号をリカバリすること、
前記第４のチャネルに関連付けられた第４の等化器に、前記第３の係数セットを第３の初期係数として送ること、
前記第３の初期係数に基づいて前記第４の等化器の第４の係数セットを推定すること、
をさらに備える請求項１に記載の方法。
【請求項７】
前記第２のチャネルは、前記第１のチャネルの隣接チャネルであり、
前記第３のチャネルは、前記第２のチャネルの隣接チャネルであり、
前記第４のチャネルは、前記第３のチャネルの隣接チャネルである、請求項６に記載の方法。
【請求項８】
前記第１のチャネルは、８５０ナノメートル（ｎｍ）の波長に関連付けられており、
前記第２のチャネルは、８８０ｎｍの波長に関連付けられており、
前記第３のチャネルは、９１０ｎｍの波長に関連付けられており、
前記第４のチャネルは、９４０ｎｍの波長に関連付けられている、請求項７に記載の方法。
【請求項９】
前記第１のチャネルは、光リンクの動作に対して最適化された波長に関連付けられており、かつ前記第２のチャネルよりも小さい符号間干渉（ＩＳＩ）を有し、
前記第２のチャネルは、前記第３のチャネルよりも小さいＩＳＩを有し、
前記第３のチャネルは、前記第４のチャネルよりも小さいＩＳＩを有する、請求項６に記載の方法。
【請求項１０】
前記第１のチャネルは、８００ナノメートル（ｎｍ）〜１０００ｎｍの範囲内の第１の波長に関連付けられており、
前記第２のチャネルは、８００ｎｍ〜１０００ｎｍの範囲内の第２の波長に関連付けられており、
前記第１のチャネルと前記第２のチャネルとの間を隔てるチャネルは、１５ｎｍ〜６０ｎｍの範囲内に存在する、請求項１に記載の方法。
【請求項１１】
マルチチャネル受信機であって、
第１のチャネルに関連付けられた第１のクロック信号をリカバリするように構成された第１のクロックリカバリ部であって、第２のチャネルに関連付けられた第２のクロックリカバリ部に前記第１のクロック信号を送るように構成された第１のクロックリカバリ部と、
前記第１のクロック信号を用いて、前記第１のチャネルに関連付けられた第１の等化器の第１の係数セットを推定するように構成された第１の係数推定部であって、前記第１の係数セットを第２の係数推定部に送るように構成された第１の係数推定部と、
前記第１のクロック信号を前記第２のクロックリカバリ部に対する基準クロック信号として用いて、前記第２のチャネルに関連付けられた第２のクロック信号をリカバリするように構成された前記第２のクロックリカバリ部と、
前記第１の係数セットを第２の等化器の第１の初期係数として用いて、前記第２のチャネルに関連付けられた前記第２の等化器の第２の係数セットを推定するように構成された前記第２の係数推定部と、
を備えるマルチチャネル受信機。
【請求項１２】
前記第２の係数推定部はさらに、
前記第１の初期係数を用いて前記第２の係数セットを初期設定し、
前記初期設定の後、等化方式を用いて前記第２の係数セットを推定する
ように構成されている、請求項１１に記載のマルチチャネル受信機。
【請求項１３】
前記第１のチャネルは第１のチャネル応答を有し、前記第１のチャネル応答は、前記第２のチャネルの第２のチャネル応答に関連している、請求項１１に記載のマルチチャネル受信機。
【請求項１４】
前記第１のチャネルは、光リンクを最適化する波長に関連付けられており、
前記第１のチャネルは、前記第２のチャネルよりも小さい符号間干渉（ＩＳＩ）を有する、請求項１１に記載のマルチチャネル受信機。
【請求項１５】
前記光リンクは、ＯＭ３ファイバリンクおよびＯＭ４ファイバリンクのうちの一つを含む、請求項１４に記載のマルチチャネル受信機。
【請求項１６】
前記第２のクロックリカバリ部はさらに、前記第２のクロックリカバリ部から、第３のチャネルに関連付けられた第３のクロックリカバリ部に前記第２のクロック信号を送るように構成されており、
前記第２の係数推定部はさらに、前記第２の係数推定部から第３の係数推定部に、前記第２の係数セットを第２の初期係数として送るように構成されており、
前記マルチチャネル受信機はさらに、
前記第３のクロックリカバリ部であって、
前記第２のクロック信号を前記第３のクロックリカバリ部に対する基準クロック信号として用いて、前記第３のチャネルに関連付けられた第３のクロック信号をリカバリし、
前記第３のクロックリカバリ部から、第４のチャネルに関連付けられた第４のクロックリカバリ部に前記第３のクロック信号を送るように構成された前記第３のクロックリカバリ部と、
前記第３の係数推定部であって、
前記第２の初期係数を用いて、前記第３のチャネルに関連付けられた第３の等化器の第３の係数セットを推定し、
前記第３の係数推定部から第４の係数推定部に、前記第３の係数セットを第３の初期係数として送るように構成された前記第３の係数推定部と、
前記第３のクロック信号を前記第４のクロックリカバリ部に対する基準クロック信号として用いて、前記第４のチャネルに関連付けられた第４のクロック信号をリカバリするように構成された前記第４のクロックリカバリ部と、
前記第３の初期係数を用いて、前記第４のチャネルに関連付けられた第４の等化器の第４の係数セットを推定するように構成された前記第４の係数推定部と、
を備える、請求項１１に記載のマルチチャネル受信機。
【請求項１７】
前記第２のチャネルは、前記第１のチャネルの隣接チャネルであり、
前記第３のチャネルは、前記第２のチャネルの隣接チャネルであり、
前記第４のチャネルは、前記第３のチャネルの隣接チャネルである、請求項１６に記載のマルチチャネル受信機。
【請求項１８】
前記第１のチャネルは、８５０ナノメートル（ｎｍ）の波長に関連付けられており、
前記第２のチャネルは、８８０ｎｍの波長に関連付けられており、
前記第３のチャネルは、９１０ｎｍの波長に関連付けられており、
前記第４のチャネルは、９４０ｎｍの波長に関連付けられている、請求項１７に記載のマルチチャネル受信機。
【請求項１９】
マルチチャネル受信機であって、
特定波長に対して最適化された光リンクから、他の波長に関連付けられた１つ以上の光キャリア信号を含むレーザビームを受信するように構成されたデマルチプレクサ（ＤＥＭＵＸ）と、
前記ＤＥＭＵＸから前記光キャリア信号のうちの第１の光キャリア信号を受信して、前記第１の光キャリア信号から第１のクロック信号をリカバリするように構成された第１のクロックリカバリ部と、
前記ＤＥＭＵＸから前記光キャリア信号のうちの第２の光キャリア信号を受信するとともに前記第１のクロックリカバリ部から基準クロック信号を受信して、前記基準クロック信号から第２のクロック信号をリカバリするように構成された第２のクロックリカバリ部と、を備え、
前記第１の光キャリア信号は、第１の波長に関連付けられており、
前記第２の光キャリア信号は、第２の波長に関連付けられており、
前記第１の波長は、前記第２の波長と前記特定波長との間の波長であり、
前記基準クロック信号は、前記第１のクロック信号であり、
第１のチャネルに関連付けられた第１の等化器の第１の係数セットを前記第１のクロック信号を用いて推定し、前記第２のクロックリカバリ部に関連付けられた第２の等化器に前記第１の係数セットを初期係数として送るように構成された第１の係数推定部をさらに備えるマルチチャネル受信機。
【発明の詳細な説明】
【技術分野】
【０００１】
本明細書に記載されるいくつかの実施形態は、概して、マルチチャネル受信機におけるクロックリカバリおよび等化器の実現に関する。
【背景技術】
【０００２】
本明細書で他に示されない限り、本明細書に記載される事項は本出願の請求項に対する先行技術ではなく、この背景技術欄に含まれることによってそれらの事項が先行技術であると認められるものではない。
【０００３】
マルチモードファイバ（ＭＭＦ）リンク上にて異なるチャネルを介して送信される信号は符号間干渉（ＩＳＩ）を受ける可能性がある。いくつかのチャネルでは、関連するアイダイアグラムにおいてアイ開口を閉鎖させる大きなＩＳＩが発生する場合がある。大きなＩＳＩを有するチャネルを介して送信された信号を受信機によって検出することが困難な場合がある。
【発明の概要】
【０００４】
本出願において特許請求される主題は、あらゆる欠点を解決する実施形態に限定されるものではなく、または上記のような環境においてのみ動作する実施形態に限定されるものではない。むしろ、上記の背景技術は、本明細書に記載されるいくつかの実施形態が実施され得る一つの例示的な技術領域を例示するために提供されているに過ぎない。
【０００５】
本概要は、以下の詳細な説明でさらに説明される概念の選択を簡略化して説明するものである。本概要は、特許請求される主題の重要な特徴または本質的な特徴を特定することを意図するものではなく、特許請求される主題の範囲を決定する助けとして使用されることも意図していない。
【０００６】
本明細書に記載されるいくつかの例示的な実施形態は、概してマルチチャネル受信機におけるクロックリカバリおよび等化器の実現に関する。
例示的な実施形態において、マルチチャネル受信機においてクロックリカバリおよび等化器の係数の推定を行うための方法が記載される。方法は、第１のクロックリカバリ部において、第１のチャネルに関連付けられた第１のクロック信号をリカバリすることを含み得る。また、方法は、前記第１のクロック信号を用いて、前記第１のチャネルに関連付けられた第１の等化器の第１の係数セットを推定することを含み得る。また、方法は、前記第１のクロックリカバリ部から、第２のチャネルに関連付けられた第２のクロックリカバリ部に前記第１のクロック信号を送ることを含み得る。また、方法は、前記第１のクロック信号を基準クロック信号として用いて、前記第２のクロックリカバリ部において、前記第２のチャネルに関連付けられた第２のクロック信号をリカバリすることを含み得る。また、方法は、前記第２のチャネルに関連付けられた第２の等化器に、第１の係数セットを初期係数として送ることを含み得る。また、方法は、前記初期係数を用いて、前記第２の等化器の第２の係数セットを推定することを含み得る。
【０００７】
別の例示的な実施形態において、マルチチャネル受信機が記載される。受信機は、第１のクロックリカバリ部と、第１の係数推定部と、第２のクロックリカバリ部と、第２の係数推定部とを含み得る。前記第１のクロックリカバリ部は、第１のチャネルに関連付けられた第１のクロック信号をリカバリするように構成され得る。また、前記第１のクロックリカバリ部は、第２のチャネルに関連付けられた第２のクロックリカバリ部に前記第１のクロック信号を送るように構成され得る。前記第１の係数推定部は、前記第１のクロック信号を用いて、前記第１のチャネルに関連付けられた第１の等化器の第１の係数セットを推定するように構成され得る。また、前記第１の係数推定部は、前記第１の係数セットを第２の係数推定部に送るように構成され得る。前記第２のクロックリカバリ部は、前記第１のクロック信号を前記第２のクロックリカバリ部に対する基準クロック信号として用いて、前記第２のチャネルに関連付けられた第２のクロック信号をリカバリするように構成され得る。前記第２の係数推定部は、前記第１の係数セットを第２の等化器の初期係数として用いて、前記第２のチャネルに関連付けられた前記第２の等化器の第２の係数セットを推定するように構成され得る。
【０００８】
本発明のさらなる特徴および利点は以下の説明に記載され、その記載から一部が明らかになり得るか、または本発明の実施によって習得され得る。本発明の特徴および利点は、添付の特許請求の範囲で特に言及された機器および組み合わせによって実現および取得され得る。本発明のこれらおよび他の特徴は、以下の説明および添付の特許請求の範囲からより完全に明らかになり得るか、または以下に記載する本発明の実施によって習得され得る。
【０００９】
本発明の上記およびその他の利点および特徴をさらに明確にするために、本発明のより具体的な説明が添付の図面に示された特定の実施形態を参照して行われる。これらの図面は本発明の典型的な実施形態のみを示しており、従って、その範囲を限定するものではない。本発明は、添付の図面を使用して、さらなる具体性および詳細を伴って説明される。
【図面の簡単な説明】
【００１０】
【図１Ａ】例示的なマルチチャネル送信機のブロック図。
【図１Ｂ】例示的なマルチチャネル受信機のブロック図。
【図２】図１Ｂのマルチチャネル受信機においてクロックリカバリおよび等化器の係数の推定を行うための例示的処理のブロック図。
【図３】光リンクに依存した帯域幅と波長との例示的関係を表すグラフ。
【図４】光リンク上の異なる波長に関連付けられた例示的なアイダイアグラムを表すグラフ。
【図５】マルチチャネル受信機においてクロックリカバリおよび等化器の係数の推定を行うための方法を示す例示的なフロー図。
【図６】データ通信システムにおいてデジタル信号処理技術を実装するように設けられた例示的な演算装置を示すブロック図。
【発明を実施するための形態】
【００１１】
本明細書に記載される実施形態は、概してマルチチャネル受信機におけるクロックリカバリおよび等化器の実現に関する。
本明細書に記載されるいくつかの実施形態は、波長分割多重化（ＷＤＭ）受信機における信頼性のあるクロックリカバリおよび等化器収束のためにマルチモードファイバ（ＭＭＦ）リンク上における隣接チャネル間の依存性（または相関性）を利用し得る。ＭＭＦリンクは、第１のチャネルの波長（例えば、８５０ナノメートル（ｎｍ））での動作に対して最適化され得る。従って、他の波長（例えば、８８０ｎｍ、９１０ｎｍ、９４０ｎｍ）を有する他のチャネルと比較して、ＭＭＦリンクは、第１のチャネルの波長（例えば、８５０ｎｍ）において最も広い有効帯域幅を有し得る。
【００１２】
まず、ＭＭＦリンクの受信機は、第１のチャネルに関連付けられた第１のクロック信号をリカバリし得るとともに、第１のチャネルに関連付けられた第１の等化器の第１の係数を推定し得る。次に、受信機は、第１のクロック信号を基準クロック信号として用いて、第２のチャネル（例えば、８８０ｎｍ）に関連付けられた第２のクロック信号をリカバリし得る。また、受信機は、第２のチャネルに関連付けられた第２の等化器の第２の係数を推定するために第１の係数を使用し得る。受信機は、第２のクロック信号を基準クロック信号として用いて、第３のチャネル（例えば、９１０ｎｍ）に関連付けられた第３のクロック信号をリカバリし得る。また、受信機は、第３のチャネル（例えば、９１０ｎｍ）に関連付けられた第３の等化器の第３の係数を推定するために第２の係数を使用し得る。また、受信機は、同様の動作を実行することによりクロック信号をリカバリして、ＭＭＦリンクの他のチャネルに関連付けられた等化器の係数を推定し得る。その結果、大きな符号間干渉（ＩＳＩ）を含むすべてのＷＤＭチャネルにおいて信頼性の高いクロックリカバリおよび等化器収束を実現することができる。
【００１３】
いくつかの実施形態において、受信機は、光リンクからレーザビームを受信するように構成され得るデマルチプレクサ（ＤＥＭＵＸ）を含み得る。光リンクは、特定波長に対して最適化され得る。また、レーザビームは、他の波長に関連付けられた１つ以上の光キャリア信号を含み得る。また、受信機は、ＤＥＭＵＸから光キャリア信号のうちの第１の光キャリア信号を受信して、第１の光キャリア信号から第１のクロック信号をリカバリするように構成された第１のクロックリカバリ部と、ＤＥＭＵＸから光キャリア信号のうちの第２の光キャリア信号を受信するとともに第１のクロックリカバリ部から基準クロック信号を受信し、基準クロック信号を用いて第２のクロック信号をリカバリするように構成された第２のクロックリカバリ部とを含み得る。第１の光キャリア信号は第１の波長に関連付けられ得る。第２の光キャリア信号は第２の波長に関連付けられ得る。第１の波長は、第２の波長と特定波長との間の波長であり得る。基準クロック信号は第１のクロック信号であり得る。受信機はさらに、第１のクロック信号を用いて、第１のチャネルに関連付けられた第１の等化器の第１の係数セットを推定し、第２のクロックリカバリ部に関連付けられた第２の等化器に、第１の係数セットを初期係数として送るように構成された第１の係数推定部を含み得る。
【００１４】
本明細書に記載の技術は、任意の数のＷＤＭチャネルを備えた受信機について一般化し得るものである。受信機におけるチャネル密度が増加するにしたがって、隣接チャネルのファイバチャネル応答の類似性も増加し得る。従って、本明細書に記載の技術の動作により受信機が改善され得る。
【００１５】
本明細書に記載の技術は、４０ギガビット／秒（Ｇｂ／ｓ）のデータレート、１００Ｇｂ／ｓのデータレート、および／またはＭＭＦ−ＷＤＭアプリケーションでの他の適切なデータレートでデータを通信し得る通信モジュールに実装され得る。この技術は、サブシステムにおけるクロックリカバリおよび等化器収束を改善することができ、これにより、より長い光リンクの到達距離および／または受信機でのより信頼性の高い動作が可能になる。本明細書に記載の技術は、シングルモードファイバ（ＳＭＦ）システムにも適用可能である。例えば、いくつかのデータセンタ光モジュールは約１３１０ｎｍのゼロ分散波長付近で動作してＷＤＭを使用し得る。これらのＷＤＭチャネルのうちのいくつかは最悪の場合には色分散することがあるが、ゼロ分散波長に近い他のいくつかのチャネルは、より低い分散となり得る。
【００１６】
本明細書に記載の技術は、受信機においてアナログフィードフォワードイコライゼーション・デシジョンフィードバックイコライゼーション（ＦＦＥ−ＤＦＥ）等化器を有する非ゼロ復帰（ＮＲＺ）送信機およびＮＲＺ受信機を含み得るシステムを含み得る。また、デジタル／アナログコンバータ（ＤＡＣ）、アナログ／デジタルコンバータ（ＡＤＣ）、および種々の高度な変調技術を用いたより複雑なシステムにも本技術を適用することができる。
【００１７】
次に、図面を参照して本発明のいくつかの例示的な実施形態の種々の態様を説明する。図面は、そのような例示的な実施形態の図式的かつ概略的な表現であり、本発明を限定するものではなく、必ずしも縮尺通りには描かれていない。
【００１８】
図１Ａは、本明細書に記載の少なくともいくつかの実施形態に従って構成されたマルチチャネル送信機（以下、送信機）１００の例示的な構造のブロック図である。送信機１００は、光リンク１５０を介してマルチチャネル受信機にデータ（例えば、本明細書で説明されるデータストリーム１１２ａ〜１１２ｄ）を送信するように構成され得る。光リンク１５０は、ＯＭ３、ＯＭ４、または任意の他の適切なファイバ（例えば、ＳＭＦファイバ）を含み得る。
【００１９】
送信機１００は、１つまたは複数の送信機（ＴＸ）処理部１０２ａ〜１０２ｄ（以下では、個々にＴＸ処理部１０２、または総称して複数のＴＸ処理部１０２とも称す）を含むＴＸ処理モジュール１０３と、１つまたは複数のレーザダイオード１０８ａ〜１０８ｄ（以下では、個々にレーザダイオード１０８、または総称して複数のレーザダイオード１０８とも称す）を含むレーザアレイ１０７と、マルチプレクサ（ＭＵＸ）１１０と、１つまたは複数の他の適切な送信機部品とを含み得る。あるいは、送信機１００は、これらの組み合わせを含むものであってもよい。
【００２０】
図１Ａでは、送信機１００は４チャネルの送信機として示されているが、送信機１００は、５チャネル以上であってもよいし、または４チャネル未満であってもよい。いくつかの実施形態では、送信機１００はさらに、送信機１００が１つまたは複数の光リンク（例えば、光リンク１５０）を介して双方向通信を行う送受信機として動作することを可能にする受信部品を含み得る。
【００２１】
いくつかの実施形態において、複数のＴＸ処理部１０２のうちの１つ以上は、ＴＸデジタル信号処理（ＤＳＰ）部を含み得る。例えば、ＴＸ処理部１０２は、離散マルチトーン（ＤＭＴ）ＴＸ−ＤＳＰ部または直交周波数分割多重（ＯＦＤＭ）ＴＸ−ＤＳＰ部を含み得る。
【００２２】
図示の実施形態では、各ＴＸ処理部１０２は、以下で「データストリーム１１２」または「データストリーム群１１２」と称すそれぞれのデータストリーム１１２ａ〜１１２ｄ（例えば、それぞれデジタルデータビットストリーム）を受信し、それぞれのデータストリーム１１２を処理して、レーザダイオードを駆動するのに適した形態でそれぞれの信号を出力し得る。例えば、ＴＸ処理部１０２ａは、データストリーム１１２ａを受信して、レーザダイオード１０８ａの直接変調のためのＮＲＺ変調技術を適用し得る。同様に、ＴＸ処理部１０２ｂは、データストリーム１１２ｂを受信して、レーザダイオード１０８ｂの直接変調のためのＮＲＺ変調技術を適用し得る。また、ＴＸ処理部１０２ｃは、データストリーム１１２ｃを受信して、レーザダイオード１０８ｃの直接変調のためのＮＲＺ変調技術を適用し得る。また、ＴＸ処理部１０２ｄは、データストリーム１１２ｄを受信して、レーザダイオード１０８ｄの直接変調のためのＮＲＺ変調技術を適用し得る。
【００２３】
例示的な変調技術としては、以下に限定されるものではないが、直交振幅変調（ＱＡＭ）技術、位相シフトキーイング（ＰＳＫ）技術、周波数シフトキーイング（ＦＳＫ）技術、振幅シフトキーイング（ＡＳＫ）技術、非ゼロ復帰（ＮＲＺ）ライン符号化、パルス振幅変調（ＰＡＭ）、および任意の他の適切な変調技術が挙げられる。
【００２４】
対応するレーザダイオード１０８は、対応する信号を受信し、その対応する信号に応じた特定波長を有する光キャリア信号を放射し得る。レーザダイオード１０８は、垂直共振器面発光レーザ（ＶＣＳＥＬ）、分布帰還（ＤＦＢ）レーザ、または他の適切なレーザを含み得る。
【００２５】
いくつかの実施形態において、レーザアレイ１０７における各レーザダイオード１０８は、異なる波長を有する光キャリア信号を放射するように構成され得る。例えば、レーザダイオード１０８ａは、波長λ１を有する光キャリア信号を放射し得る。同様に、レーザダイオード１０８ｂは、波長λ２を有する光キャリア信号を放射し得る。レーザダイオード１０８ｃは、波長λ３を有する光キャリア信号を放射し得る。レーザダイオード１０８ｄは、波長λ４を有する光キャリア信号を放射し得る。これらの光キャリア信号の波長λ１，λ２，λ３，λ４は、７８０ｎｍ〜１０００ｎｍの波長範囲、または他の適切な波長範囲とすることができる。波長λ１，λ２，λ３，λ４のうち隣接する２つの波長は、約１５ｎｍ〜約６０ｎｍの距離、または他の適切な離間距離（例えば、１５ｎｍ１５２〜λ１≦６０ｎｍ、１５ｎｍｓｕ３−λ２≦６０ｎｍ、１５ｎｍ≦λ４−λ３≦６０ｎｍ）で離間され得る。
【００２６】
ＭＵＸ１１０は、レーザアレイ１０７から出力された光キャリア信号を光リンク１５０上に多重化して受信器（図１Ａでは図示略）へ送信し得る。ＭＵＸ１１０は、ＷＤＭマルチプレクサを含み得る。
【００２７】
図１Ｂは、本明細書に記載の少なくともいくつかの実施形態に従って構成されたマルチチャネル受信機（以下、受信機）１９０の例示的な構造のブロック図である。受信機１９０は、ＤＥＭＵＸ１１９と、１つまたは複数のフォトダイオード１２０ａ〜１２０ｄ（以下では、個々にフォトダイオード１２０、または総称して複数のフォトダイオード１２０とも称す）を含むフォトダイオードアレイ１２１と、１つまたは複数の増幅器１２２ａ〜１２２ｄ（以下では、個々に増幅器１２２、または総称して複数の増幅器１２２とも称す）と、１つまたは複数の受信機（ＲＸ）処理部１２６ａ〜１２６ｄ（以下では、個々にＲＸ処理部１２６、または総称して複数のＲＸ処理部１２６とも称す）を含むＲＸ処理モジュール１２５と、１つまたは複数の他の適切な受信機部品とを含み得る。あるいは、受信機１９０は、これらの組み合わせを含むものであってもよい。
【００２８】
図１Ｂでは、受信機１９０は４チャネルの受信機として示されているが、受信機１９０は、５チャネル以上であってもよいし、または４チャネル未満であってもよい。いくつかの実施形態では、受信機１９０はさらに、受信機１９０が１つまたは複数の光リンク（例えば、光リンク１５０）を介して双方向通信を行う送受信機として動作することを可能にする送信部品を含み得る。
【００２９】
いくつかの実施形態では、ＤＥＭＵＸ１１９は、ＷＤＭデマルチプレクサを含み得る。ＤＥＭＵＸ１１９は、光リンク１５０からレーザビームを受信し得る。レーザビームは、異なる波長を有する複数の光キャリア信号を含み得る。光キャリアは、レーザビームが光リンク１５０を介して伝搬するときに、ノイズ、損失、ＩＳＩ、および／または歪みによって破損することがある。
【００３０】
ＤＥＭＵＸ１１９は、レーザビームを、光キャリア信号の異なる波長に応じて個別の光キャリア信号に分割し、フォトダイオードアレイ１２１の複数のフォトダイオード１２０に個別の光キャリア信号を出力し得る。例えば、ＤＥＭＵＸ１１９は、波長λ１を有する光キャリア信号をフォトダイオード１２０ａに出力し、波長λ２を有する光キャリア信号をフォトダイオード１２０ｂに出力し、波長λ３を有する光キャリア信号をフォトダイオード１２０ｃに出力し、波長λ４を有する光キャリア信号をフォトダイオード１２０ｄに出力し得る。
【００３１】
フォトダイオード１２０は、ＤＥＭＵＸ１１９から受信した光キャリア信号をアナログ信号に変換し得る。増幅器１２２は、フォトダイオード１２０から受信したアナログ信号を増幅し得る。複数の増幅器１２２のうちの１つ以上は、トランスインピーダンス増幅器（ＴＩＡ）または他の増幅回路を含み得る。ＲＸ処理部１２６は、対応する信号を処理してデータストリーム１１２を出力し得る。
【００３２】
各ＲＸ処理部１２６は、チャネルに関連付けられ得るとともに、チャネルを介して送信される信号を処理し得る。以下、本明細書では、波長λを有する光キャリア信号を送信するために使用されるチャネルを、波長λを有するチャネル、またはチャネルλとも称す。ＲＸ処理部１２６ａは、波長λ１を有するチャネルを介して送信された信号を処理し得る。同様に、ＲＸ処理部１２６ｂは、波長λ２を有するチャネルを介して送信された信号を処理し得る。ＲＸ処理部１２６ｃは、波長λ３を有するチャネルを介して送信された信号を処理し得る。ＲＸ処理部１２６ｄは、波長λ４を有するチャネルを介して送信された信号を処理し得る。チャネルλ１〜λ４は、光リンク１５０上の異なるチャネルとすることができる。
【００３３】
ＲＸ処理部１２６ａは、クロックリカバリ部１２８ａ、等化器１３０ａ、係数推定部１３２ａ、および、１つまたは複数の他の適切な構成部品を含み得る。同様に、ＲＸ処理部１２６ｂは、クロックリカバリ部１２８ｂ、等化器１３０ｂ、係数推定部１３２ｂ、および、１つまたは複数の他の適切な構成部品を含み得る。ＲＸ処理部１２６ｃは、クロックリカバリ部１２８ｃ、等化器１３０ｃ、係数推定部１３２ｃ、および、１つまたは複数の他の適切な構成部品を含み得る。ＲＸ処理部１２６ｄは、クロックリカバリ部１２８ｄ、等化器１３０ｄ、係数推定部１３２ｄ、および、１つまたは複数の他の適切な構成部品を含み得る。
【００３４】
以下では、クロックリカバリ部１２８ａ〜１２８ｄを、個々にクロックリカバリ部１２８、または総称して複数のクロックリカバリ部１２８とも称す。また、等化器１３０ａ〜１３０ｄを、個々に等化器１３０、または総称して複数の等化器１３０とも称す。また、係数推定部１３２ａ〜１３２ｄは、個々に係数推定部１３２、または総称して複数の係数推定部１３２とも称す。いくつかの実施形態では、係数推定部１３２は、等化器１３０に統合され得る。いくつかの実施形態において、クロックリカバリ部１２８は、位相ロックループおよび任意の他の回路構成部品を含み得る。
【００３５】
複数のＲＸ処理部１２６のうち１つのＲＸ処理部１２６のクロックリカバリ部１２８は、特定のチャネルに関連付けられたクロック信号をリカバリするように構成され得る。例えば、クロックリカバリ部１２８ａは、チャネルλ１に関連付けられたクロック信号をリカバリするように構成され得る。いくつかの実施形態では、クロックリカバリ部１２８は、別のチャネルに関してリカバリされた別のクロック信号を基準クロック信号として用いて、特定のチャネルのクロック信号をリカバリし得る。例えば、クロックリカバリ部１２８ｂは、チャネルλ１に関連付けられたクロック信号を用いてチャネルλ２のクロック信号をリカバリするように構成され得る。
【００３６】
クロックリカバリ部１２８は、リカバリされたクロック信号および／または基準クロック信号に基づくクロック信号をＲＸ処理部１２６の等化器１３０に転送し得る。等化器１３０は、そのクロック信号を用いて等化演算を実行し得る。等化演算は係数セットに基づき得る。
【００３７】
ＲＸ処理部１２６の係数推定部１３２は、ＲＸ処理部１２６からの等化器１３０の係数セットを推定するように構成され得る。例えば、係数推定部１３２ａは、ＲＸ処理部１２６ａからの等化器１３０ａの係数セットを推定し得る。
【００３８】
いくつかの実施形態において、係数推定部１３２は、係数セットを推定するために別の等化器１３０について推定された別の係数セットを初期係数として使用し得る。初期係数は、係数推定処理の開始時に、係数セットを初期設定するために使用され得る。例えば、係数推定部１３２ｂは、等化器１３０ｂについて推定された係数セットを初期係数として使用し得る。この初期係数は、係数推定部１３２ｂにおける係数セットを初期設定するために使用され得る。
【００３９】
係数推定部１３２は、等化器１３０が特定のチャネルを介して送信された信号を等化することができるように、係数セットを用いて等化器１３０を設定し得る。特定のチャネルを介して送信される信号の等化演算は、信号伝搬によって引き起こされるＩＳＩおよび／または他の歪みを少なくとも部分的に補償し得る。
【００４０】
等化器１３０に適用される例示的な等化方法としては、以下に限定されるものではないが、フィードフォワードイコライゼーション（ＦＦＥ）方法、デシジョンフィードバックイコライゼーション（ＤＦＥ）方法、判定指向最小二乗平均（ＤＤ−ＬＭＳ）方法、他の任意の適切な等化方法、および／またはそれらの任意の組み合わせを含む。
【００４１】
図１Ｂとともに図２を併せて参照して、図１Ｂのマルチチャネル受信機１９０においてクロックリカバリおよび等化器の係数推定を行うための例示的な処理２００を説明する。受信器１９０は、第１のチャネルλ１（例えば、λ１＝８５０ｎｍまたは他の波長）と、第２のチャネルλ２（例えば、λ２＝８８０ｎｍまたは他の波長）と、第３のチャネルλ３（例えば、λ３＝９１０ｎｍまたは他の波長）と、第４のチャネルλ４（例えば、λ４＝９４０ｎｍまたは他の波長）とを有する４チャネル受信機とすることができる。
【００４２】
いくつかの実施形態では、第１のチャネルλ１が他のチャネルλ２，λ３，λ４よりも小さいＩＳＩを有するように、光リンク１５０の動作が第１のチャネルλ１に対して最適化され得る。例えば、ＯＭ３リンクまたはＯＭ４リンクは、λ１＝８５０ｎｍを有する第１のチャネルλ１を介したデータ送信に対して最適化され得る。この第１のチャネルλ１は、他のチャネルλ２＝８８０ｎｍ、λ３＝９１０ｎｍ、λ４＝９４０ｎｍと比較して、λ１＝８５０ｎｍで最も広い有効帯域幅を有する。
【００４３】
まず、第１のチャネルλ１に関連付けられたＲＸ処理部１２６ａのクロックリカバリ部１２８ａは、第１のチャネルλ１に関連付けられた第１のクロック信号をリカバリし得る。ＲＸ処理部１２６ａの係数推定部１３２ａは、そのリカバリされた第１のクロック信号を用いて、ＲＸ処理部１２６ａの等化器１３０ａの第１の係数セットを推定し得る。例えば、クロックリカバリ部１２８ａがロックされているとき（例えば、クロックリカバリ部１２８ａの出力が第１のクロック信号にロックされているとき）、係数推定部１３２ａと等化器１３０ａが協働して、ＤＤ−ＬＭＳ法、または等化器１３０ａに対して最適化された第１の係数セットを得るための他の適切な方法を実行し得る。第１のチャネルλ１は、ＲＸ処理部１２６ａにおいて信頼性の高いクロックリカバリおよび等化収束が実現され得るようなアイ開口を有するアイダイアグラムと関連付けられ得る。
【００４４】
次に、クロックリカバリ部１２８ａは、第２のチャネルλ２に関連付けられたＲＸ処理部１２６ｂのクロックリカバリ部１２８ｂに、第１のクロック信号を基準クロック信号２０２として送り得る。いくつかの実施形態では、第２のチャネルλ２は、第１のチャネルλ１の隣接チャネルであり得る。第１のチャネルλ１の第１のチャネル応答は、第２のチャネルλ２の第２のチャネル応答に類似または関連し得る。例えば、第１のチャネルλ１のチャネル伝達関数は、第２のチャネルλ２のチャネル伝達関数と類似または関連し得る。従って、第１のチャネルλ１に関連付けられた第１のクロック信号および第１の係数セットは、第２のチャネルλ２に関連付けられた第２のクロック信号のリカバリおよび第２の係数セットの推定を支援するために使用され得る。
【００４５】
クロックリカバリ部１２８ｂは、クロックリカバリ部１２８ａからの基準クロック信号２０２を用いて、第２のチャネルλ２に関連付けられた第２のクロック信号をリカバリし得る。クロックリカバリ部１２８ｂがロックされているとき（例えば、クロックリカバリ部１２８ｂの出力が第２のクロック信号にロックされているとき）、係数推定部１３２ａは、ＲＸ処理部１２６ｂの係数推定部１３２ｂに、第１の係数セットを初期係数２０４として送り得る。係数推定部１３２ｂは、リカバリされた第２のクロック信号と初期係数２０４とを用いて、ＲＸ処理部１２６ｂの等化器１３０ｂの第２の係数セットを推定し得る。例えば、係数推定部１３２ｂは、第２の係数セットの推定の収束を支援するべく、初期係数２０４を用いて第２の係数セットを初期設定し得る。係数推定部１３２ｂと等化器１３０ｂは協働して、ＤＤ−ＬＭＳ法、または等化器１３０ｂに対して最適化された第２の係数セットを得るための他の等化方法を実行し得る。
【００４６】
次に、クロックリカバリ部１２８ｂは、第３のチャネルλ３に関連付けられたＲＸ処理部１２６ｃのクロックリカバリ部１２８ｃに、第２のクロック信号を基準クロック信号２０６として送り得る。いくつかの実施形態では、第３のチャネルλ３は、第２のチャネルλ２の隣接チャネルであり得る。第２のチャネルλ２の第２のチャネル応答は、第３のチャネルλ３の第３のチャネル応答に類似または関連し得る。従って、第２のチャネルλ２に関連付けられた第２のクロック信号および第２の係数セットは、第３のチャネルλ３に関連付けられた第３のクロック信号のリカバリおよび第３の係数セットの推定を支援するために使用され得る。
【００４７】
クロックリカバリ部１２８ｃは、クロックリカバリ部１２８ｂからの基準クロック信号２０６を用いて、第３のチャネルλ３に関連付けられた第３のクロック信号をリカバリし得る。クロックリカバリ部１２８ｃがロックされているとき、係数推定部１３２ｂは、ＲＸ処理部１２６ｃの係数推定部１３２ｃに、第２の係数セットを初期係数２０８として送り得る。係数推定部１３２ｃは、リカバリされた第３のクロック信号と初期係数２０８とを用いて、ＲＸ処理部１２６ｃの等化器１３０ｃの第３の係数セットを推定し得る。例えば、係数推定部１３２ｃは、第３の係数セットの推定の収束を支援するべく、初期係数２０８を用いて第３の係数セットを初期設定し得る。係数推定部１３２ｃと等化器１３０ｃは協働して、ＤＤ−ＬＭＳ法、または等化器１３０ｃに対して最適化された第３の係数セットを得るための他の等化方法を実行し得る。
【００４８】
次に、クロックリカバリ部１２８ｃは、第４のチャネルλ４に関連付けられたＲＸ処理部１２６ｄのクロックリカバリ部１２８ｄに、第３のクロック信号を基準クロック信号２１０として送り得る。いくつかの実施形態では、第４のチャネルλ４は、第３のチャネルλ３の隣接チャネルであり得る。第３のチャネルλ３の第３のチャネル応答は、第４のチャネルλ４の第４のチャネル応答に類似または関連し得る。従って、第３のチャネルλ３に関連付けられた第３のクロック信号および第３の係数セットは、第４のチャネルλ４に関連付けられた第４のクロック信号のリカバリおよび第４の係数セットの推定を支援するために使用され得る。
【００４９】
クロックリカバリ部１２８ｄは、クロックリカバリ部１２８ｃからの基準クロック信号２１０を用いて、第４のチャネルλ４に関連付けられた第４のクロック信号をリカバリし得る。クロックリカバリ部１２８ｄがロックされているとき、係数推定部１３２ｃは、ＲＸ処理部１２６ｄの係数推定部１３２ｄに、第３の係数セットを初期係数２１２として送り得る。係数推定部１３２ｄは、リカバリされた第４のクロック信号と初期係数２１２とを用いて、ＲＸ処理部１２６ｄの等化器１３０ｄの第４の係数セットを推定し得る。
【００５０】
図１Ｂおよび図２は、４チャネル受信機１９０と４つのチャネルλ１〜λ４を示したものである。いくつかの実施形態では、処理２００は、５つ以上のチャネルを有し、５つ以上のＷＤＭチャネルに関連付けられたマルチチャネル受信機に適用され得る。また、処理２００は、４つ未満のチャネルを有し、４つ未満のＷＤＭチャネルに関連付けられたマルチチャネル受信機に適用され得る。
【００５１】
図３は、本明細書に記載される少なくともいくつかの実施形態に従って構成された例示的なＭＭＦリンク（例えば、ＯＭ３またはＯＭ４リンク）に対する例示的な帯域幅波長依存性を示すグラフ表現３００である。図３は、ファイバ帯域幅波長依存性のワーストケースを示す。例えば、図３は、ワーストケースのＯＭ４ファイバ帯域幅の波長依存性に関する統計的モデルを示す。実線の曲線はモーダルな帯域幅のみを示し、他の２つの曲線は、色分散を加えた後の正味の帯域幅を示している。
【００５２】
帯域幅波長依存性は、ＭＭＦリンク上のチャネルの有効帯域幅が、そのチャネルに関連付けられた波長に依存し得ることを示し得る。４つの波長（例えば、λ１＝８５０ｎｍ、λ２＝８８０ｎｍ、λ３＝９１０ｎｍ、λ４＝９４０ｎｍ）が矢印３０２，３０４，３０６，３０８でそれぞれ示されている。波長λ２＝８８０ｎｍ、波長λ３＝９１０ｎｍ、および波長λ４＝９４０ｎｍと比較して、ＭＭＦリンクは、波長λ１＝８５０ｎｍ付近で最良の特性が得られるように最適化される。例えば、ＭＭＦファイバ（例えば、ＯＭ３またはＯＭ４ファイバ）は、波長λ２＝８８０ｎｍ、波長λ３＝９１０ｎｍ、および波長λ４＝９４０ｎｍと比較して、波長λ１＝８５０ｎｍ付近で最も広いファイバ帯域幅を有し得る。
【００５３】
図４は、本明細書に記載される少なくともいくつかの実施形態に従って構成されたＭＭＦ光リンクの異なる波長に関連付けられた例示的なアイダイアグラム４０２，４０４，４０６，４０８を示すグラフ表現４００である。ＭＭＦ光リンク上の有効帯域幅は、図３に示されるようにチャネルの波長に依存し得るため、アイダイアグラムのアイ開口は、異なる波長に関連付けられた異なるチャネルにわたって変化し得る。アイダイアグラム４０２，４０４，４０６，４０８は、３００メートルのＯＭ４リンクについて２５Ｇｂ／ｓのデータレートでシミュレートされており、８５０ｎｍ、８８０ｎｍ、９１０ｎｍ、９４０ｎｍの波長についてワーストケースのファイバ帯域幅に対応し得る。
【００５４】
波長８５０ｎｍを有するチャネルは、アイダイアグラム４０４，４０６，４０８と比べて、最も広いアイ開口を有するアイダイアグラム４０２に関連付けられている。波長８５０ｎｍを有するチャネルについては、そのチャネルがワーストケースのファイバ帯域幅を有していても、信頼性の高いクロックリカバリおよび等化器係数の収束が実現され得る。波長９４０ｎｍを有するチャネルは、ワーストケースにおいてアイが閉じたアイダイアグラム４０８に関連付けられている。波長９４０ｎｍを有するチャネルを介して送信される信号は大きく劣化し得るものであり、波長９４０ｎｍを有するチャネルに対して行われるクロックリカバリおよび等化は信頼性を有し得ない。しかしながら、受信機は、隣接チャネル（または近接チャネル）間の類似性または相関性を利用することで、すべてのＷＤＭチャネルに対して信頼性を有し得るクロックリカバリおよび等化器収束を提供し得る。例えば、受信機は、すべてのチャネルについて信頼性の高いクロックリカバリおよび等化器係数の推定を行うために、最も広いアイ開口を有するチャネル（ここでは、８５０ｎｍの波長を有するチャネル）、すなわち信頼性の高いクロックリカバリおよび等化器係数の収束を実現するチャネルを用いて開始される図２の処理２００と同一または類似の処理を実行し得る。
【００５５】
図５は、本明細書に記載される少なくともいくつかの実施形態に従って構成されたマルチチャネル受信機においてクロックリカバリおよび等化器係数の推定を行うための方法５００の例示的なフロー図を示す。方法５００は、受信機（例えば、図１Ｂの受信機１９０）全体または受信機の一部分で実行され得る。なお、個別のブロックとして図示されているが、所望の実装に応じて、種々のブロックがさらなるブロックに分割されたり、より少ないブロックに結合されたり、または削除されたりしてもよい。
【００５６】
方法５００は、ブロック５０２で開始し得る。ブロック５０２では、第１のチャネルに関連付けられた第１のクロック信号が受信機の第１のクロックリカバリ部でリカバリされ得る。
【００５７】
ブロック５０４では、第１のチャネルに関連付けられた第１の等化器の第１の係数が第１のクロック信号を用いて推定され得る。
ブロック５０８では、第２のチャネルに関連付けられた第２のクロックリカバリ部に、第１のクロック信号が基準クロック信号として送られ得る。
【００５８】
ブロック５１０では、第１の係数が、第２のチャネルに関連付けられた第２の等化器の初期係数として送られ得る。
ブロック５１２では、第２のチャネルに関連付けられた第２のクロック信号が、第２のクロックリカバリ部において基準クロック信号を用いてリカバリされ得る。
【００５９】
ブロック５１４では、第２のチャネルに関連付けられた第２の等化器の第２の係数が、初期係数と第２のチャネルに対してリカバリされた第２のクロック信号とを用いて推定され得る。
【００６０】
いくつかの実施形態では、第２の等化器の第２の係数セットの推定は、１つまたは複数のさらなる演算を含む。例えば、これらの実施形態および他の実施形態では、第２の係数セットの推定は、第１の初期係数を用いて第２の係数セットを初期設定することを含み得る。これに加えてまたはこれに代えて、第２の係数セットの推定は、初期設定の後に等化方法を用いて第２の係数セットを推定することを含み得る。等化方法は、ＦＦＥ方法、ＤＦＥ方法、ＤＤ−ＬＭＳ方法、他の適切な等化方法、またはそれらの任意の組み合わせを含み得る。
【００６１】
いくつかの実施形態では、第１のチャネルは、第２のチャネルの第２のチャネル応答に関連付けられた第１のチャネル応答を有する。これに加えてまたはこれに代えて、第１のチャネルは、ＭＭＦリンクなどの光リンクが最適化される波長に関連付けられ得る。従って、第１のチャネルは、第２のチャネルよりも小さなＩＳＩを含み得る。また、いくつかの実施形態では、第１のチャネルおよび第２のチャネルは、約８００ｎｍ〜約１０００ｎｍの範囲内にある第１の波長および第２の波長にそれぞれ関連付けられる。これらの実施形態および他の実施形態では、第１のチャネルと第２のチャネルとの間のチャネル間隔は、約１５ｎｍ〜約６０ｎｍの範囲内であり得る。
【００６２】
いくつかの実施形態では、方法５００は、第３のチャネル、第４のチャネル、および／または他の任意の数のチャネルについてクロック信号をリカバリして係数を推定するために、ブロック５０８，５１０，５１２，５１４と同様の動作を継続して実行し得る。例えば、方法５００はさらに、第３のチャネルに関連付けられた第３のクロックリカバリ部に第２のクロック信号を基準クロック信号として送ること、第３のクロックリカバリ部において、その基準クロック信号を用いて、第３のチャネルに関連付けられた第３のクロック信号をリカバリすることを含み得る。また、方法５００は、第２の係数を、第３のチャネルに関連付けられた第３の等化器の初期係数として送ることを含み得る。また、方法５００は、第２の係数を初期係数として用いて、第３の等化器の第３の係数を推定することを含み得る。
【００６３】
これらの実施形態および他の実施形態では、第２のチャネルは、第１のチャネルの隣接チャネルであり得る。また、第３のチャネルは、第２のチャネルの隣接チャネルであり得る。また、第４のチャネルは、第３のチャネルの隣接チャネルであり得る。これに加えてまたはこれに代えて、第１のチャネルは、８５０ｎｍの波長に関連付けられ得る。第２のチャネルは、８８０ｎｍの波長に関連付けられ得る。第３のチャネルは、９１０ｎｍの波長に関連付けられ得る。第４のチャネルは、９４０ｎｍの波長に関連付けられ得る。
【００６４】
いくつかの実施形態では、第１のチャネルは、光リンクが最適化された波長に関連付けられる。従って、第１のチャネルは、第２のチャネルよりも小さいＩＳＩを有し得る。また、第２のチャネルは、第３のチャネルよりも小さいＩＳＩを有し得る。また、第３のチャネルは、第４のチャネルよりも小さなＩＳＩを有し得る。
【００６５】
当業者であれば、本明細書に開示される上記の処理や他の処理および方法について、それらの処理および方法で実行される機能を異なる順序で実施することができることを理解し得る。さらには、概略的なステップおよび動作は例示としてのみ提供されており、いくつかのステップおよび動作は任意であり、開示されている実施形態の本質を損なうことなく、より少ないステップおよび動作に結合されたり、追加のステップおよび動作で実装されたり、または追加のステップおよび動作に拡張されたりし得る。
【００６６】
本明細書に開示されるいくつかの実施形態は、図５の方法５００、例えば、図５におけるブロック５０２，５０４，５０８，５１０，５１２および／または５１４、および／またはそれらの変形に含まれる動作の実行を制御するための、演算装置によって実行可能な命令を記憶した非一時的コンピュータ記憶媒体などの製品を含む。非一時的コンピュータ記憶媒体は、図６の演算装置６００や、あるいはプロセッサおよびメモリを含むＤＳＰ部などの演算装置に含まれ得るかまたはアクセス可能とされ得る。いくつかの実施形態では、非一時的コンピュータ記憶媒体は、受信機（例えば、図１Ｂの受信機１９０）に含まれ得るかまたはアクセス可能とされ得る。
【００６７】
図６は、本明細書に記載される少なくともいくつかの実施形態に従って構成されたデータ通信システムにおけるデジタル信号処理技術を実装するように構成された演算装置６００の例を示すブロック図である。例えば、デジタル信号処理技術は、本明細書に記載のクロックリカバリおよび等化器推定処理を含み得る。演算装置６００またはその１つ以上の構成部品は図１Ｂの受信機１９０に含まれ得る。
【００６８】
極めて基本的な構成である基本構成６０２において、演算装置６００は、一般的には、１つまたは複数のプロセッサ６０４とシステムメモリ６０６とを含み得る。メモリバス６０８は、プロセッサ６０４とシステムメモリ６０６との間で通信するために使用され得る。
【００６９】
所望の構成に応じて、プロセッサ６０４は、これに限定されるものではないが、ＣＰＵ、マイクロプロセッサ、マイクロコントローラ、ＤＳＰ、またはそれらの任意の組み合わせを含む任意のタイプとすることができる。プロセッサ６０４は、レベル１キャッシュ６１０やレベル２キャッシュ６１２などの１つまたは複数のレベルのキャッシュと、プロセッサコア６１４と、レジスタ６１６とを含み得る。例示的なプロセッサコア６１４は、算術論理ユニット（ＡＬＵ）、浮動小数点ユニット（ＦＰＵ）、デジタル信号処理コア（ＤＳＰコア）、またはそれらの任意の組み合わせを含み得る。例示的なメモリコントローラ６１８はプロセッサ６０４と共に使用され得るか、またはいくつかの実装形態においては、メモリコントローラ６１８はプロセッサ６０４の内部部分であり得る。
【００７０】
所望の構成に応じて、システムメモリ６０６は、これに限定されるものではないが、揮発性メモリ（ＲＡＭなど）、不揮発性メモリ（ＲＯＭ、フラッシュメモリなど）、またはそれらの任意の組み合わせを含む任意のタイプとすることができる。システムメモリ６０６は、オペレーティングシステム（ＯＳ）６２０、１つまたは複数のアプリケーション６２２、およびプログラムデータ６２４を含み得る。アプリケーション６２２は、デジタル信号処理（ＤＳＰ）アルゴリズム６２６、または図５の方法５００に関して上述した複数の機能のうちの１つ以上を実行するように構成され得る他のアプリケーションを含み得る。プログラムデータ６２４は、解析のためにアプリケーション６２２に読み込まれ得るＤＳＰデータ６２８を含み得る。いくつかの実施形態では、アプリケーション６２２は、図５の方法５００などのクロックリカバリおよび等化器係数の推定のための方法が、本明細書に記載される実装形態で提供され得るように、ＯＳ６２０上のプログラムデータ６２４を用いて動作するように構成され得る。
【００７１】
演算装置６００は、追加の特徴または機能を有し得るとともに、基本構成６０２と任意の必要なデバイスやインターフェースとの間の通信を支援するための追加のインターフェースを有し得る。例えば、バス／インターフェースコントローラ６３０は、基本構成６０２と１つまたは複数のデータ記憶装置６３２との間の通信を記憶インターフェースバス６３４を介して支援するために使用され得る。データ記憶装置６３２は、リムーバブル記憶装置６３６、非リムーバブル記憶装置６３８、またはそれらの組み合わせであり得る。リムーバブル記憶装置および非リムーバブル記憶装置の例としては、フレキシブルディスクドライブやハードディスクドライブ（ＨＤＤ）などの磁気ディスク装置、コンパクトディスク（ＣＤ）ドライブまたはデジタル多用途ディスク（ＤＶＤ）ドライブなどの光ディスクドライブ、ソリッドステートドライブ（ＳＳＤ）、およびテープドライブなどが挙げられる。例示的なコンピュータ記憶媒体としては、コンピュータ読み取り可能な命令、データ構造、プログラムモジュール、または他のデータなどの情報を記憶するために任意の方法または技術で実現される揮発性および不揮発性の媒体やリムーバブルおよび非リムーバブルの媒体を含み得る。
【００７２】
システムメモリ６０６、リムーバブル記憶装置６３６、および非リムーバブル記憶装置６３８は、コンピュータ記憶媒体の例である。コンピュータ記憶媒体は、これに限定されるものではないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学記憶装置、磁気カセット、磁気テープ、磁気ディスク記憶装置または他の磁気記憶装置、あるいは所望の情報を記憶するために使用され且つ演算装置６００によってアクセスされ得る任意の他の媒体を含み得る。そのようなコンピュータ記憶媒体は、演算装置６００の一部分であってもよい。
【００７３】
また、演算装置６００は、バス／インターフェースコントローラ６３０を介して、種々のインターフェース装置（例えば、出力装置６４２、周辺インターフェース６４４、および通信装置６４６）から基本構成６０２への通信を支援するためのインターフェースバス６４０を含み得る。例示的な出力装置６４２は、１つまたは複数のＡ／Ｖポート６５２を介してディスプレイまたはスピーカなどの種々の外部装置と通信するように構成され得るグラフィックス処理部６４８およびオーディオ処理部６５０を含む。例示的な周辺インターフェース６４４は、シリアルインターフェースコントローラ６５４またはパラレルインターフェースコントローラ６５６を含み、これらは、入力装置（例えば、キーボード、マウス、ペン、音声入力装置、タッチ入力装置）や他の周辺装置（例えば、プリンタ、スキャナ）などの外部装置と、１つまたは複数のＩ／Ｏポート６５８を介して通信するように構成され得る。例示的な通信装置６４６はネットワークコントローラ６６０を含み得る。ネットワークコントローラ６６０は、１つまたは複数の通信ポート６６４を介したネットワーク通信リンクを経由して１つまたは複数の他の演算装置６６２との通信を支援するように構成され得る。
【００７４】
ネットワーク通信リンクは通信媒体の一例である。通信媒体は、典型的には、搬送波や他の搬送機構などの変調データ信号内におけるコンピュータ読み取り可能な命令、データ構造、プログラムモジュール、または他のデータによって具現化され得るものであって、任意の情報配信媒体を含み得る。「変調データ信号」とは、信号内の情報を符号化するようにその特性の１つ以上または複数が設定または変更された信号であり得る。限定ではなく例示として、通信媒体は、有線ネットワークや直接有線接続などの有線媒体、音響、無線周波数（ＲＦ）、マイクロ波、赤外線（ＩＲ）などの無線媒体、および他の無線媒体を含み得る。本明細書で使用するコンピュータ可読媒体という用語は、記憶媒体および通信媒体の両方を含み得る。
【００７５】
演算装置６００は、携帯電話、パーソナルデータアシスタント（ＰＤＡ）、パーソナルメディアプレーヤデバイス、ワイヤレスウェブウォッチデバイス、パーソナルヘッドセットデバイス、アプリケーション専用デバイス、または上記の機能のいずれかを含むハイブリッドデバイスなどの小型フォームファクタポータブル（またはモバイル）電子デバイスの一部として実装し得る。また、演算装置６００は、ラップトップコンピュータおよび非ラップトップコンピュータの両方を含むパーソナルコンピュータとして実施されてもよい。
【００７６】
本開示は、本明細書に記載される特定の実施形態に関して限定されるものではなく、種々の態様の例示であることが意図される。当業者には明らかであるように、その思想および範囲から逸脱することなく、多くの変更および変形が可能である。本明細書に列挙したものに加えて、本開示の範囲内の機能的に等価な方法および装置は、前述の説明から当業者には明らかである。そのような変更および変形は、添付の特許請求の範囲内に含まれることが意図される。本開示は、添付の特許請求の範囲、およびそのような特許請求の範囲が権利を与えられる均等物の全範囲によってのみ限定されるべきである。本開示は、特定の方法、試薬、化合物、組成物、または生物学的系に限定されず、当然のことながら変化し得ることが理解されるべきである。本明細書で使用される用語は、特定の実施形態のみを説明するためのものであり、限定することを意図するものではない。
【００７７】
本明細書において任意の複数形および／または単数形の用語の使用に関して、当業者は、文脈および／または用途に適切であるように、複数形から単数形および／または単数形から複数形に置き換え得る。種々の単数／複数の置換が明瞭化のために本明細書に明示的に記載され得る。
【００７８】
本発明は、その思想または本質的な特徴から逸脱することなく、他の特定の実施形態で具体化することができる。記載された実施形態は、すべての点において、例示的なものであって限定的なものではないとみなされるべきである。従って、本発明の範囲は、上記の説明によってではなく、添付の特許請求の範囲によって示される。特許請求の範囲と均等の意味および範囲内に入るすべての変更は、その範囲内に含まれるべきである。
【要約】  マルチチャネル受信機においてクロックリカバリおよび等化器の係数の推定を行う方法は、第１のクロックリカバリ部において、第１のチャネルに関連付けられた第１のクロック信号をリカバリすることを含み得る。方法は、第１のクロック信号を用いて、第１のチャネルに関連付けられた第１の等化器の第１の係数セットを推定することを含み得る。方法は、第２のチャネルに関連付けられた第２のクロックリカバリ部に第１のクロック信号を送ることを含み得る。また、方法は、第１のクロック信号を基準クロック信号として用いて、第２のクロックリカバリ部において、第２のチャネルに関連付けられた第２のクロック信号をリカバリすることを含み得る。また、方法は、第２のチャネルに関連付けられた第２の等化器に第１の係数セットを初期係数として送ることを含み得る。また、方法は、初期係数を用いて第２の等化器の第２の係数セットを推定することを含み得る。【図１Ａ】
0006343723.tif 000002
【図１Ｂ】
0006343723.tif 000003
【図２】
0006343723.tif 000004
【図３】
0006343723.tif 000005
【図４】
0006343723.tif 000006
【図５】
0006343723.tif 000007
【図６】
0006343723.tif 000008